(57)【要約】【課題】別部材を用いずに、容器本体の持ち手の装着部分の強度を向上させることができる梱包容器の提供。【解決手段】梱包容器１は、被梱包物が収納される容器本体１０と、容器本体１０に装着される容器本体１０を持つための持ち手２０と、を備え、容器本体１０は、容器本体１０を構成する側面１０ａ，１０ｂの一部が切込まれて形成された舌片１１が、折り曲げられて側面１０ａ，１０ｂと重ねられた重なり部１２を有し、重なり部１２には、重なり部１２を貫通し持ち手２０が係止される貫通孔１５，１６が形成され、持ち手２０が、貫通孔１５，１６に挿通されて重なり部１２を貫通するとともに重なり部１２に係止されることを特徴とする。【選択図】図１
2009067442.tif 000002
【特許請求の範囲】
【請求項１】
被梱包物が収納される容器本体と、
前記容器本体に装着される前記容器本体を持つための持ち手と、を備え、
前記容器本体は、前記容器本体を構成する面の一部が切込まれて形成された舌片が、折り曲げられて前記面と重ねられた重なり部を有し、
前記重なり部には、前記重なり部を貫通し前記持ち手が係止される係止部が形成され、
前記持ち手が、前記係止部に挿通されて前記重なり部を貫通するとともに前記重なり部に係止されることを特徴とする梱包容器。
【請求項２】
請求項１に記載の梱包容器において、前記重なり部は、２つの前記係止部を有し、前記２つの係止部のそれぞれが、前記舌片の根元部に形成されている固定側係止部と前記舌片に形成されている曲げ側係止部とから構成され、
前記舌片は、前記舌片の幅が前記舌片の根元部から先端部に行くにしたがい両側に広がるように、前記固定側係止部の一方を始点とし前記固定側係止部の他方を終点とする第１の切込みにより形成され、
前記舌片には、前記舌片の外形から前記曲げ側係止部に達する第２の切込みがそれぞれ形成され、
前記舌片が折り曲げられたとき、前記固定側係止部と前記曲げ側係止部とが重なり、前記２つの係止部が形成されることを特徴とする梱包容器。
【請求項３】
請求項１または２に記載の梱包容器において、前記係止部には、円形の貫通孔が設けられていることを特徴とする梱包容器。
【請求項４】
請求項１〜３のいずれか一項に記載の梱包容器において、前記持ち手が、幅に対する厚みの割合が小さい帯状で且つ輪状に形成されている紐状部材であることを特徴とする梱包容器。
【発明の詳細な説明】
【技術分野】
【０００１】
本発明は、被梱包物を梱包して保管及び輸送などに用いる梱包容器に関する。
【背景技術】
【０００２】
被梱包物の保管及び輸送などには、段ボール箱などの梱包容器が用いられている。従来、梱包容器を運搬する際に、梱包容器の側面に開けられた孔や切込みに直接紐などの持ち手を取り付け、作業者が持ち手を握って運搬することがあった。
この構成では、梱包容器に直接持ち手が取り付けられていることから、運搬できる重量は、梱包容器の持ち手が取り付けられている部分の強度に依存する。したがって、梱包容器が段ボール箱の場合には、強度不足により軽量物の運搬しかできないという問題があった。
【０００３】
この問題を解決する構成として、梱包容器に取り付けて使用する運搬用把手が知られている（例えば、特許文献１参照）。
この運搬用把手は、補強板に、紐などからなる持ち手を通すための孔が開口され、補強板周辺部より当該孔に達する切込みが設けられ、この切込みから持ち手が孔に通され、持ち手が補強板に係止される構成となっている。この運搬用把手は、梱包容器の内側に配置されて、持ち手が梱包容器の側面の開口部から外側に取り出されることにより、作業者が持ち手を握って梱包容器を運搬することができるようになっている。
【０００４】
【特許文献１】実開平７−４０４３１号公報
【発明の開示】
【発明が解決しようとする課題】
【０００５】
しかしながら、上記運搬用把手は、梱包容器とは別部材の補強板を用いる必要があることから、その分、部品点数が増加するという問題がある。
また、補強板には、十分な強度が必要であることから、例えば、硬質の厚紙、木材、金属、合成樹脂など、段ボール材の梱包容器とは異なる材質が用いられている。このことから、運搬用把手は、使用後の廃却処理の際に、梱包容器とは分別して処理しなければならないという問題がある。
また、運搬用把手は、梱包容器とは別体であるため、梱包容器の側面の開口部の形状によっては、梱包容器内に落下しないように保持しなければならないという問題がある。
【課題を解決するための手段】
【０００６】
本発明は、上記課題の少なくとも一部を解決するためになされたものであり、以下の形態または適用例として実現することが可能である。
【０００７】
［適用例１］本適用例にかかる梱包容器は、被梱包物が収納される容器本体と、前記容器本体に装着される前記容器本体を持つための持ち手と、を備え、前記容器本体は、前記容器本体を構成する面の一部が切込まれて形成された舌片が、折り曲げられて前記面と重ねられた重なり部を有し、前記重なり部には、前記重なり部を貫通し前記持ち手が係止される係止部が形成され、前記持ち手が、前記係止部に挿通されて前記重なり部を貫通するとともに前記重なり部に係止されることを特徴とする。
【０００８】
このような構成によれば、梱包容器は、持ち手が係止部に挿通されて重なり部を貫通するとともに重なり部に係止されることにより、容器本体に装着される。このことから、梱包容器は、持ち手を介して容器本体が持ち上げられるときに、被梱包物を含んだ容器本体の重量が、舌片を折り曲げて重ねることにより補強された重なり部で支えられることで、従来のような容器本体の側面の孔や切込みに直接持ち手を取り付ける構成と比較して、容器本体の持ち手の装着部分の強度を向上させることができる。
また、梱包容器は、従来のような補強板を用いる必要がないことから、梱包容器に関わる部品点数を削減することができる。また、梱包容器は、使用後の廃却処理の際に、補強板を分別処理する作業が不要となる。
【０００９】
［適用例２］上記適用例にかかる梱包容器において、前記重なり部は、２つの前記係止部を有し、前記２つの係止部のそれぞれが、前記舌片の根元部に形成されている固定側係止部と前記舌片に形成されている曲げ側係止部とから構成され、前記舌片は、前記舌片の幅が前記舌片の根元部から先端部に行くにしたがい両側に広がるように、前記固定側係止部の一方を始点とし前記固定側係止部の他方を終点とする第１の切込みにより形成され、前記舌片には、前記舌片の外形から前記曲げ側係止部に達する第２の切込みがそれぞれ形成され、前記舌片が折り曲げられたとき、前記固定側係止部と前記曲げ側係止部とが重なり、前記２つの係止部が形成されることが好ましい。
【００１０】
このような構成によれば、重なり部は、固定側係止部と曲げ側係止部とから構成される２つの係止部を有し、固定側係止部に達する第１の切込みと曲げ側係止部に達する第２の切込みとを備える。このことから、梱包容器は、持ち手が第１及び第２の切込みを経由して係止部に挿通される。このとき、梱包容器は、重なり部を形成する舌片の幅が、根元部から先端部に行くにしたがい両側に広がるように形成されていることで、舌片の外形から曲げ側係止部までの距離が長くなり、第２の切込みを長く形成することができる。また第１の切り込みと第２の切り込みとの位置関係を、重ならない位置関係とすることができる。
これらのことから、梱包容器は、持ち手を係止部から容易に外れないようにすることができる。
【００１１】
［適用例３］上記適用例にかかる梱包容器において、前記係止部には、円形の貫通孔が設けられていることが好ましい。
【００１２】
このような構成によれば、梱包容器は、係止部に円形の貫通孔が設けられていることから、持ち手を挿通させやすい。また、梱包容器は、係止部に円形の貫通孔が形成されていることから、持ち手を介して容器本体が持ち上げられるときに、被梱包物を含んだ容器本体の重量が貫通孔の周囲に分散され、係止部が損傷しにくくなる。また、梱包容器は、貫通孔が円形であることから、貫通孔を容易に形成することができる。
【００１３】
［適用例４］上記適用例にかかる梱包容器において、前記持ち手が、幅に対する厚みの割合が小さい帯状で且つ輪状に形成されている紐状部材であることが好ましい。
【００１４】
このような構成によれば、梱包容器は、持ち手が幅に対する厚みの割合が小さい帯状であることから、持ち手を重なり部の切込みに容易に挿通させることができる。
また、梱包容器は、持ち手が帯状であることから、作業者の手に接する面積が広くなり持ちやすい。また、梱包容器は、持ち手が帯状であることから、持ち手の容器本体の重なり部との接触面積が広くなり、係止部が損傷しにくくなる。
また、梱包容器は、持ち手が輪状に形成されていることから、持ち手を、重なり部を取り巻くように係止部に挿通させることで、重なり部に容易に係止させることができる。
【発明を実施するための最良の形態】
【００１５】
以下、梱包容器の実施形態について図面を参照して説明する。
（実施形態）
図１は、被梱包物の保管及び輸送などに用いられる梱包容器の概略構成を示す構成図であり、図１（ａ）は、要部を部分的に切り欠いて表している斜視図、図１（ｂ）は、図１（ａ）のＡ−Ａ線での部分断面図である。
【００１６】
図１に示すように、本実施形態の梱包容器１は、容器本体１０、持ち手２０などから構成されている。
容器本体１０は、紙製の段ボールにより箱状に形成されている。なお、容器本体１０には、紙製の段ボールではなく、プラスチック製の段ボールなどを用いてもよい。
容器本体１０に用いる材質は、図示しない被梱包物の種類、大きさ、重量などによって適宜設定される。
【００１７】
容器本体１０を構成する面のうち、互いに向かい合う２つの側面１０ａ，１０ｂの一部には、それぞれ、第１の切込み１３により舌片１１が形成され、舌片１１が容器本体１０の内側に折り曲げられて、重なり部１２が形成されている。
ここで、重なり部１２の詳細を、図２を併用して説明する。図２は、容器本体１０の側面１０ａ（１０ｂ）を外側から見た要部平面図であり、図２（ａ）は、舌片１１の折り曲げ前の状態を表し、図２（ｂ）は、折り曲げ後の状態を表している。
【００１８】
図１、図２に示すように、重なり部１２は、円形の貫通孔１５，１６及びその周辺部から構成されている２つの係止部を有する。貫通孔１５，１６は、舌片１１の根元部に形成されている固定側係止部の一部である固定側貫通孔１５ａ，１６ａと、舌片１１の先端部寄りに形成されている曲げ側係止部の一部である曲げ側貫通孔１５ｂ，１６ｂとから構成されている。
【００１９】
舌片１１は、舌片１１の幅が根元部から先端部に行くにしたがい両側に広がるように、固定側貫通孔１５ａを始点とし固定側貫通孔１６ａを終点とする第１の切込み１３により形成されている。なお、始点と終点は、上記の逆にしてもよい。
舌片１１には、折り曲げ線１７に対して略平行に、外形から曲げ側貫通孔１５ｂ，１６ｂに達する第２の切込み１４ａ，１４ｂがそれぞれ形成されている。
【００２０】
重なり部１２には、上記のように形成された舌片１１が、折り曲げ線１７で容器本体１０の内側に折り曲げられたとき、固定側貫通孔１５ａ，１６ａと曲げ側貫通孔１５ｂ，１６ｂとが重なり、貫通孔１５，１６が形成される。なお、舌片１１は、容器本体１０が持ち上げられる方向（矢印Ｂ方向）に曲げられるように形成されている。
これにより、第２の切込み１４ａ，１４ｂは、容器本体１０が持ち上げられる方向に対して略直交する方向に形成されることになる。また、第１の切込み１３と第２の切込み１４ａ，１４ｂとは、舌片１１が折り曲げられたときに重ならない位置関係となっている。
【００２１】
持ち手２０は、図１に示すように、紐状部材からなり、紐状部材の材質には、織布が用いられている。持ち手２０は、幅Ｗに対する厚みＴの割合が小さい帯状の織布を輪状にして、端部を縫合することにより形成されている。
なお、紐状部材には、織布以外にも、紙、合成樹脂などから、被梱包物を含む容器本体１０の重量に耐えられる材質が適宜設定される。また、上記端部の結合方法も、紐状部材の材質に応じて接着、溶着など適宜選択される。
【００２２】
ここで、持ち手２０を容器本体１０に装着する手順についての一例を、図２を主体に、図１も参照して説明する。
まず、持ち手２０の一部を、容器本体１０の外側から容器本体１０の側面１０ａ（１０ｂ）の舌片１１が折り曲げられることにより形成された第１の切込み１３の開口部分に挿入する。
【００２３】
ついで、持ち手２０の一部を開口部分から第１の切込み１３の固定側貫通孔１５ａに達する側に挿通させ、固定側貫通孔１５ａを貫通させる。
ついで、持ち手２０の固定側貫通孔１５ａを貫通した部分を、第２の切込み１４ａに挿通させて曲げ側貫通孔１５ｂを貫通させる。これにより、持ち手２０は、貫通孔１５を貫通する。
【００２４】
ついで、持ち手２０の曲げ側貫通孔１５ｂを貫通した部分を、第２の切込み１４ｂに挿通させて曲げ側貫通孔１６ｂを貫通させる。
ついで、持ち手２０の曲げ側貫通孔１６ｂを貫通した部分を、第１の切込み１３の固定側貫通孔１６ａに達する側に挿通させ、固定側貫通孔１６ａを貫通させる。これにより、持ち手２０は、貫通孔１６を貫通する。
【００２５】
このように、持ち手２０は、重なり部１２を取り巻くようにして貫通孔１５，１６を貫通することにより、重なり部１２を貫通するとともに重なり部１２に係止され、容器本体１０に装着される。なお、持ち手２０が貫通孔１５，１６を貫通する順番は、上記の逆でもよい。また、持ち手２０を容器本体１０の内側から開口部分に挿入してもよい。
【００２６】
梱包容器１は、図１に示すように、容器本体１０に装着された持ち手２０を介して、容器本体１０が持ち上げられて運搬される。
このとき、梱包容器１は、容器本体１０に加わる力の矢印Ｂ方向の分力と貫通孔１５，１６の貫通方向の分力とが、重なり部１２に加わる。重なり部１２は、容器本体１０の舌片１１が容器本体１０の内側の上方に折り曲げられ、側面１０ａ（１０ｂ）と重ねられて形成されていることにより、上記両方向の力に対する強度が、他の部分より補強されている。
これにより、梱包容器１は、補強されている重なり部１２に対応して、従来より重い被梱包物を運搬することができる。
【００２７】
上述したように、本実施形態の梱包容器１は、持ち手２０が貫通孔１５，１６に挿通されて重なり部１２を貫通するとともに、重なり部１２に係止されることにより、容器本体１０に装着される。
このことから、梱包容器１は、持ち手２０を介して容器本体１０が持ち上げられるときに、容器本体１０に加わる力が、舌片１１が折り曲げられて、側面１０ａ（１０ｂ）と重ねられることにより補強された重なり部１２に加わる。
これにより、梱包容器１は、従来のような容器本体の一重になっている側面の孔や切込みに直接持ち手を取り付ける構成と比較して、容器本体１０の持ち手２０の装着部分の強度を向上させることができる。
また、梱包容器１は、従来のような補強板を用いる必要がないことから、梱包容器１に関わる部品点数を削減することができる。また、梱包容器１は、使用後の廃却処理の際の、補強板を分別処理する作業が不要となる。
【００２８】
また、梱包容器１は、重なり部１２が、固定側貫通孔１５ａ，１６ａと曲げ側貫通孔１５ｂ，１６ｂとから構成される２つの貫通孔１５，１６を有し、固定側貫通孔１５ａ，１６ａに達する第１の切込み１３と曲げ側貫通孔１５ｂ，１６ｂに達する第２の切込み１４ａ，１４ｂとを備える。
このことから、梱包容器１は、持ち手２０が第１の切込み１３及び第２の切込み１４ａ，１４ｂを経由して２つの貫通孔１５，１６に挿通される。
このとき、重なり部１２を形成する舌片１１の幅が、根元部から先端部に行くにしたがい両側に広がるように形成されていることで、舌片１１の外形から曲げ側貫通孔１５ｂ，１６ｂまでの距離が長くなり、第２の切込み１４ａ，１４ｂを長く形成することができる。また、第１の切込み１３と第２の切込み１４ａ，１４ｂとは、舌片１１が折り曲げられたときに重ならない位置関係となっている。
これらのことから、梱包容器１は、持ち手２０を２つの貫通孔１５，１６から容易に外れないようにすることができる。
【００２９】
また、梱包容器１は、持ち手２０が幅Ｗに対する厚みＴの割合が小さい帯状であることから、持ち手２０を重なり部１２の第１の切込み１３及び第２の切込み１４ａ，１４ｂに容易に挿通させることができる。
また、梱包容器１は、持ち手２０が帯状であることから、作業者の手に接する面積が広くなり持ちやすい。また、梱包容器１は、持ち手２０が帯状であることから、持ち手２０の容器本体１０の重なり部１２との接触面積が広くなり、容器本体１０の重なり部１２に形成された係止部が損傷しにくくなる。
また、梱包容器１は、持ち手２０が輪状に形成されていることから、持ち手２０を、重なり部１２を取り巻くように貫通孔１５，１６に挿通させることで、重なり部１２に容易に係止させることができる。
【００３０】
なお、上記実施形態では、係止部を貫通孔１５，１６及びその周辺部から構成したが、持ち手２０の形状などによっては、貫通孔１５，１６を形成せずに、第１の切込み１３の端部と第２の切込み１４ａ，１４ｂの端部との、貫通孔１５，１６を無くすことにより重なる部分及びその周辺部から係止部を構成してもよい。
【００３１】
なお、舌片１１は、上記形状に限定するものではなく、例えば、図３の他の舌片形状の平面図に示すように、略矩形形状に形成されていてもよい。なお、図３（ａ）は、舌片１１の折り曲げ前の状態を表し、図３（ｂ）は、折り曲げ後の状態を表している。この場合でも、第１の切込み１３と第２の切込み１４ａ，１４ｂとが、舌片１１が折り曲げられたときに重ならない位置関係となるように形成されている。
【００３２】
また、持ち手２０は、上記形状に限定するものではなく、例えば、図４の他の梱包容器の構成を示す要部斜視図に示すように、一本の線状としてもよい。
持ち手２０は、一方の端部に貫通孔１５の周囲に係止される結び目２１ａを作り、他方の端部から容器本体１０の重なり部１２の貫通孔１５，１６を貫通させた後、他方の端部に貫通孔１６の周囲に係止される結び目２１ｂを作ることで、重なり部１２の貫通孔１５，１６の周囲に係止され、容器本体１０に装着される。
【００３３】
これによれば、梱包容器１０１は、持ち手２０を一本の線状とすることで、持ち手２０を第１の切込み１３及び第２の切込み１４ａ，１４ｂを経由せずに、直接貫通孔１５，１６に挿通させることができる。
また、梱包容器１０１は、持ち手２０の結び目２１ａ，２１ｂの位置を変えることで、持ち手２０の長さを作業者が運搬しやすい長さに容易に調節することができる。
また、梱包容器１０１は、係止部に、円形の貫通孔１５，１６が設けられていることから、持ち手２０を容易に挿通することができる。
また、梱包容器１０１は、係止部に円形の貫通孔１５，１６が設けられていることから、持ち手２０を介して容器本体１０が持ち上げられるときに、被梱包物の重量が貫通孔１５，１６の周囲に略均等に分散され、係止部分が損傷しにくくなる。
また、梱包容器１０１は、貫通孔１５，１６が円形であることから、貫通孔を容易に形成することができる。
【図面の簡単な説明】
【００３４】
【図１】本実施形態の梱包容器の概略構成を示す構成図。
【図２】本実施形態の容器本体の側面を外側から見た要部平面図。
【図３】本実施形態の容器本体の他の舌片形状の平面図。
【図４】本実施形態の他の梱包容器の概略構成を示す要部斜視図。
【符号の説明】
【００３５】
１…梱包容器、１０…容器本体、１０ａ，１０ｂ…容器本体の側面、１１…舌片、１２…重なり部、１３…第１の切込み、１４ａ，１４ｂ…第２の切込み、１５，１６…貫通孔、１５ａ，１６ａ…固定側貫通孔、１５ｂ，１６ｂ…曲げ側貫通孔、１７…折り曲げ線、２０…持ち手。
【図１】
2009067442.tif 000003
【図２】
2009067442.tif 000004
【図３】
2009067442.tif 000005
【図４】
2009067442.tif 000006